(57)【要約】有機酸試薬およびアミンを混合して塩複合体を形成すること、塩複合体を溶媒に溶解して有機酸試薬を溶媒に放出させること、ならびに溶媒を診断試験装置の構成要素に適用して、溶媒に存在する有機酸試薬が、診断試験装置に組み込まれるようにすることにより、有機溶媒、水性溶媒、およびそれらの混合物中のトランソルビリティーが低い有機酸試薬を診断試験装置の構成要素に適用する方法。アミンは式：ＨmＮＲnで表され、式中、ｍは０、１、または２であり、ｎは１、２、または３であり、ｍおよびｎの合計は３であり、そしてＲは、塩複合体を水性溶媒、有機溶媒、またはそれらの混合物に可溶性にする独立して選択される基である。アミンはまた式：ＮＲ4＋で表され、式中、Ｒは、塩複合体を水性溶媒、有機溶媒、またはそれらの混合物に溶解させる独立して選択される基である。有機酸試薬はカルボン酸、スルホン酸、リン酸、およびそれらの混合物から選択される。好ましい試薬はピロガロールレッドのごとき色素である。具体的な態様では、診断試験装置は紙試験ストリップである。【特許請求の範囲】
【請求項１】
有機溶媒、水性溶媒、およびそれらの混合物中のトランソルビリティーが低い有機酸試薬を診断試験装置の構成要素に適用する方法であって：
有機酸試薬およびアミンを混合して塩複合体を形成する工程
［該アミンは、式：
ＨmＮＲn
（式中、ｍは０、１、または２であり、ｎは１、２、または３であり、ｍおよびｎの合計は３であり、そしてＲは、塩複合体を水性溶媒、有機溶媒、またはそれらの混合物に可溶性にする独立して選択される基である）で表される］；
塩複合体を溶媒に溶解して有機酸試薬を溶媒に放出させる工程；ならびに
溶媒を診断試験装置の構成要素に適用して、溶媒に存在する有機酸試薬が、診断試験装置に組み込まれるようにする工程、
を含む方法。
【請求項２】
Ｒが、アルキル、アルケニル、アルキニル、ハロアルキル、芳香族、ハロ芳香族、アルキルアミノアセチル、ヒドロキシアルキル、またはヒドロキシアルコキシアルキルから独立して選択される、請求項１記載の方法。
【請求項３】
アミンが、トリメチルアミン、トリエチルアミン、トリブチルアミン、トリオクチルアミン、トリス（ヒドロキシメチル）アミノメタン、アミノエタノール、ブチルアミン、オクチルアミン、トリエタノールアミン、グルカミン、ポリエチレングリコールアミン、アミノ酸、およびそれらの混合物から選択される、請求項１記載の方法。
【請求項４】
アミンが、トリス（ヒドロキシメチル）アミノメタンである、請求項１記載の方法。
【請求項５】
有機酸試薬が、カルボン酸、スルホン酸、リン酸、およびそれらの混合物から選択される、請求項１記載の方法。
【請求項６】
有機酸試薬が、色素である、請求項１記載の方法。
【請求項７】
色素が、ピロガロールレッドまたはフェノールスルホンフタレインである、請求項６記載の方法。
【請求項８】
溶媒が、有機溶媒、水性溶媒、または１つ以上の有機溶媒および１つ以上の水性溶媒の混合物である、請求項１記載の方法。
【請求項９】
診断試験装置が、診断試験ストリップであり、構成要素が紙である、請求項１記載の方法。
【請求項１０】
診断試験ストリップが、液体中の被検体の存在を検出するために適用される、請求項９記載の方法。
【請求項１１】
被検体が、タンパク質である、請求項１０記載の方法。
【請求項１２】
有機溶媒、水性溶媒、およびそれらの混合物中のトランソルビリティーが低い有機試薬を診断試験装置の構成要素に適用する方法であって：
有機試薬ならびに、トリメチルアミン、トリエチルアミン、トリブチルアミン、トリオクチルアミン、トリス（ヒドロキシメチル）アミノメタン、アミノエタノール、ブチルアミン、オクチルアミン、トリエタノールアミン、グルカミン、ポリエチレングリコールアミン、アミノ酸、およびそれらの混合物から選択されるアミンを混合して塩複合体を形成する工程；
塩複合体を溶媒に溶解して有機試薬を溶媒に放出させる工程；ならびに
溶媒を診断試験装置の構成要素に適用して、溶媒に存在する有機酸試薬が、診断試験装置に組み込まれるようにする工程、
を含む方法。
【請求項１３】
アミンが、トリス（ヒドロキシメチル）アミノメタンである、請求項１２記載の方法。
【請求項１４】
有機試薬が、カルボン酸、スルホン酸、リン酸、およびそれらの混合物から選択される請求項１２の方法。
【請求項１５】
有機試薬が、色素である、請求項１２記載の方法。
【請求項１６】
色素が、ピロガロールレッドまたはフェノールスルホンフタレインである、請求項１５記載の方法。
【請求項１７】
溶媒が、有機溶媒、水性溶媒、または１つ以上の有機溶媒および１つ以上の水性溶媒の混合物である、請求項１２記載の方法。
【請求項１８】
診断試験装置が、液体中のタンパク質の存在を検出するために適用される、請求項１２記載の方法。
【請求項１９】
診断試験装置が、診断試験ストリップであり、構成要素が紙である、請求項１２の方法。
【請求項２０】
有機溶媒、水性溶媒、およびそれらの混合物中のトランソルビリティーが低い有機酸試薬を診断試験ストリップの紙に適用する方法であって：
トリメチルアミン、トリエチルアミン、トリブチルアミン、トリオクチルアミン、トリス（ヒドロキシメチル）アミノメタン、アミノエタノール、ブチルアミン、オクチルアミン、トリエタノールアミン、グルカミン、ポリエチレングリコールアミン、アミノ酸、およびそれらの混合物から選択されるアミン、ならびにカルボン酸、スルホン酸、リン酸、およびそれらの混合物から選択される有機酸試薬を混合して塩複合体を形成する工程；
塩複合体を溶媒に溶解して有機酸試薬を溶媒に放出させる工程；ならびに
溶媒を診断試験ストリップの紙に適用して、溶媒に存在する有機酸試薬が、紙に組み込まれるようにする工程、
を含む方法。
【請求項２１】
アミンが、トリス（ヒドロキシメチル）アミノメタンである、請求項２０記載の方法。
【請求項２２】
有機酸試薬が、ピロガロールレッドまたはフェノールスルホンフタレインから選択される色素である、請求項２０記載の方法。
【請求項２３】
溶媒が、有機溶媒、水性溶媒、または１つ以上の有機溶媒および１つ以上の水性溶媒の混合物である、請求項２０記載の方法。
【請求項２４】
有機溶媒、水性溶媒、およびそれらの混合物中のトランソルビリティーが低い有機酸試薬を診断試験装置の構成要素に適用する方法であって：
イオン交換方法によりイオン化有機酸試薬および第４級アンモニウムイオンを組み合わせて塩複合体を形成する工程
［該アンモニウムイオンは、式：
ＮＲ4＋
（式中、Ｒは、塩複合体を水性溶媒、有機溶媒、またはそれらの混合物に溶解させる独立して選択される基である）で表される］；
塩複合体を溶媒に溶解して有機酸試薬を溶媒に放出させる工程；ならびに
溶媒を診断試験装置の構成要素に適用して、溶媒に存在する有機酸試薬が、診断試験装置に組み込まれるようにする工程、
を含む方法。
【請求項２５】
有機酸試薬およびアミンを混合して塩複合体を形成する工程
［該アミンは、式：
ＨmＮＲn
（式中、ｍは０、１、または２であり、ｎは１、２、または３であり、ｍおよびｎの合計は３であり、そしてＲは、塩複合体を水性溶媒、有機溶媒、またはそれらの混合物に可溶性にする独立して選択される基である）で表される］；
塩複合体を溶媒に溶解して有機酸試薬を溶媒に放出させる工程；ならびに
溶媒を診断試験装置の構成要素に適用して、溶媒に存在する有機酸試薬が、診断試験装置に組み込まれるようにする工程、
により調製された、有機溶媒、水性溶媒、およびそれらの混合物中のトランソルビリティーが低い有機酸試薬を含有する診断試験装置。
【請求項２６】
Ｒが、アルキル、アルケニル、アルキニル、ハロアルキル、芳香族、ハロ芳香族、アルキルアミノアセチル、ヒドロキシアルキル、またはヒドロキシアルコキシアルキルから独立して選択される、請求項２５記載の診断試験装置。
【請求項２７】
アミンが、トリメチルアミン、トリエチルアミン、トリブチルアミン、トリオクチルアミン、トリス（ヒドロキシメチル）アミノメタン、アミノエタノール、ブチルアミン、オクチルアミン、トリエタノールアミン、グルカミン、ポリエチレングリコールアミン、アミノ酸、およびそれらの混合物から選択される、請求項２５記載の診断試験装置。
【請求項２８】
アミンが、トリス（ヒドロキシメチル）アミノメタンである、請求項２５記載の診断試験装置。
【請求項２９】
有機酸試薬が、カルボン酸、スルホン酸、リン酸、およびそれらの混合物から選択される、請求項２５記載の診断試験装置。
【請求項３０】
有機酸試薬が、色素である、請求項２５記載の診断試験装置。
【請求項３１】
色素が、ピロガロールレッドまたはフェノールスルホンフタレインである、請求項３０の診断試験装置。
【請求項３２】
溶媒が、有機溶媒、水性溶媒、または１つ以上の有機溶媒および１つ以上の水性溶媒の混合物である、請求項２５記載の診断試験装置。
【請求項３３】
診断試験装置が、液体中の被検体の存在を検出するために適用される、請求項２５記載の診断試験装置。
【請求項３４】
被検体が、タンパク質である、請求項３３記載の診断試験装置。
【請求項３５】
診断試験装置が、診断試験ストリップであり、構成要素が紙である、請求項２５記載の診断試験装置。
【請求項３６】
イオン交換方法によりイオン化有機酸試薬および第４級アンモニウムイオンを組み合わせて塩複合体を形成する工程
［該アンモニウムイオンは、式：
ＮＲ4＋
（式中、Ｒは、塩複合体を水性溶媒、有機溶媒、またはそれらの混合物に可溶性にする独立して選択される基である）で表される］；
塩複合体を溶媒に溶解して有機酸試薬を溶媒に放出させる工程；ならびに
溶媒を診断試験装置の構成要素に適用して、溶媒に存在する有機酸試薬が、診断試験装置に組み込まれるようにする工程、
により調製された、有機溶媒、水性溶媒、およびそれらの混合物中のトランソルビリティーが低い有機酸試薬を含有する診断試験装置。
【発明の詳細な説明】
【技術分野】
【０００１】
本発明は、診断試験装置の構成要素に有機試薬を吸収させる方法、およびこのような方法により調製された診断試験装置に関する。とりわけ、本発明は、診断試験ストリップの吸収材料に有機試薬を吸収させる方法およびこのような方法により調製された診断試験ストリップに関する。
【背景技術】
【０００２】
ヒト体液、例えば尿のサンプル中の成分を分析するための診断試験装置、例えば乾燥装置の使用は周知である。ヒト体液中の成分を分析するために用いることができる診断試験ストリップは乾燥装置の一種である。診断試験ストリップは典型的には、手で持つ部分として提供されるプラスチック担体に付着した１つ以上の紙のパッドから構成される。
【０００３】
診断試験ストリップを用いて、１つ以上の試薬、例えば有機分子を含有する１つ以上の溶媒系に吸収材料、例えば紙を浸漬することにより、試薬を吸収材料に適用するかまたは吸収させる。溶媒系を吸収材料に浸漬すると、溶媒系に含有される試薬が吸収材料の繊維内に吸収されるか、または繊維に組み込まれるようになる。一度試薬を吸収材料に適用すると、吸収材料を乾燥し、そして試験ストリップに組み立てる。
【０００４】
次いで試薬を含有する乾燥した試験ストリップを用いて被験サンプル中の被検体の存在に関して試験することができる。典型的には、被験サンプルは、ヒトの尿またはその他の生物学的液体である。試験ストリップは、全タンパク質試験もしくはタンパク尿試験とも称されるタンパク質アッセイにおけるタンパク質を検出するか、またはアルブミン尿のごとき症状おいて特定のタンパク質の存在に関して試験するために頻繁に使用される。試験される被検体の例としては、非限定例としてはタンパク質、ホルモン、薬物、代謝物、グルコース、プロトン（すなわちpHに関して）、イオン（すなわち比重）、および血液細胞が含まれる。被検体の存在を試験するために、試験ストリップの試薬が被験サンプル中の特定の被検体との反応順序に加わる時点で、試験ストリップを被験サンプルに浸漬する。被験サンプル中の特定の被検体の存在を検出する場合、試験ストリップの試薬は装置により、または肉眼で検出可能な使用者に対するシグナル、例えば色の変化を伴って反応する。
【０００５】
試薬が診断試験装置、例えば試験ストリップの吸収材料に適用されるようになるために、試薬を吸収材料に適用するのに用いられる溶媒系に試薬を溶解させる必要がある。この溶媒系において試薬が可溶性であるほど、試薬はより多く吸収材料に適用され、そして吸収材料で得られる色はより濃くなる。吸収材料における試薬の濃度が高いと、しばしば色の表示をより濃くすることができる。
【０００６】
試薬が被験サンプル中の被検体を検出するために用いられる診断試験装置、例えば試験ストリップの吸収材料に吸収されるために、吸収材料の繊維内に捕捉されている試薬は典型的には被験サンプル中の被検体と相互作用できるように十分に可溶性である必要がある。すなわち吸収材料に吸収されている試薬は、典型的には、溶液化学に関して最終試験ストリップ環境（すなわち被験サンプル）において、特定の被検体が被験サンプル中に存在するという指標を生じかつ提示するために可溶性である必要がある。しかしながら、被験サンプル中の試薬の高い可溶性は、例えば試験ストリップの複数のパッド間で試薬の移動を生じ得るような問題としてある種の系で望ましくない可能性がある。最適な系ではアッセイの設計者が被験サンプル中の試薬の溶解性の程度を調節することが可能であろう。
【０００７】
典型的には診断試験装置の吸収材料に適用される有機試薬は、水性溶媒中で溶解性が全くないかもしくは有機溶媒中で非常に低い溶解性で、または有機溶媒中で溶解性が全くないかもしくは水性溶媒中で非常に低い溶解性でのいずれかで溶解する。一方、これらの有機試薬の多くは有機および水性溶媒中でトランソルビリティー（transolubility）が全くないか、またはトランソルビリティーが非常に低い。有機および水性溶媒中でのこれらの試薬のトランソルビリティーの欠如は、特定の試薬の診断試験装置への適用およびこれらの試薬を含有する診断試験装置の使用を困難にしている。
【０００８】
説明すると、有機溶媒を用いて診断試験装置の吸収材料に有機試薬を適用しなければならない場合、試薬は有機溶媒にのみ容易に溶解するが、続いて試薬が全く溶解性がないかまたは溶解性が非常に低い水性被験サンプル（すなわち尿）中のタンパク質の存在を検出するために試薬を使用しなければならないので、溶解性の問題が生じる。例えば、ピロガロールレッドは有機溶媒、例えばメタノールに溶解するが、水性溶媒、例えば水または尿には全く溶解性がないか、または溶解性が非常に低い、診断用タンパク質試験に通常用いられる色素である。アッセイ設計者に向けられた１つの挑戦は試薬、例えばピロガロールレッドを、水性溶媒を介して試験ストリップに適用し、そして次に試薬を用いて、試薬が溶解性を調節されている水性被験サンプル中のタンパク質の存在を検出する方法を見出すことであった。
【０００９】
有機および水性溶媒中でトランソルビリティーが非常に低い有機試薬を溶解するために用いられている１つの方法は、水性溶媒のアルカリ度を高めることである。このアプローチを用いて水性溶媒中にピロガロールレッドを溶解し、そして水性溶媒を介して色素を吸収材料、例えば試験紙に適用している。このアプローチを用いてピロガロールレッドを、水性溶媒を介して診断試験装置、例えば試験ストリップに適用することができるが、ピロガロールレッドを溶解するのに必要な強いアルカリ性の水性溶媒が、試験紙に許容できない色の変化を招き、紙を診断試験で使用できなくする。
【００１０】
有機および水性溶媒中でトランソルビリティーが低い有機試薬を溶解するために用いられる別の方法は、水混和性の補助溶媒、例えばアルコールを溶媒系に加えることである。このアプローチにもまた欠点がある。水混和性の補助溶媒の添加により溶媒系の１つの成分の溶解性を高めることができるが、その他の成分の溶解性が同時に低下する可能性がある。加えて、典型的には水溶性成分の溶解性を維持しながら有機試薬の溶解性を高めるために、水混和性の補助溶媒の量および種類の選択には注意が要され、しばしば試行錯誤される。
【００１１】
診断試験装置、例えば試験紙の吸収材料に試薬を適用するために用いられる溶媒における溶解性の程度が種々の試薬で異なっているので、しばしば複数回の浸漬または複数回の工程の適用法を用いる必要がある。例えば、望ましい試薬が互いに、または１つの溶媒系に含有される１つ以上の成分と反応する場合、複数回の浸漬の適用法を用いることができる。アッセイ設計者に向けられたもう１つの挑戦は複数の浸漬の適用方法が関与している試薬のトランソルビリティーを調節する方法を見出すことである。例えば、２つの浸漬の適用方法では、第１の浸漬溶液として水性溶媒を用いて試薬を試験紙に適用することができるが、試験紙が適用されることになっている第２の浸漬溶液への試薬の洗脱を防ぐために、第２の有機浸漬溶液では試薬は不溶性のままであるのが望ましい。
【００１２】
前記の理由のために、有機溶媒、水性溶媒、およびそれらの混合物中でトランソルビリティーが低い試薬を有機溶媒、水性溶媒、およびそれらの混合物を介して診断試験装置、例えば診断試験ストリップに適用し、続いて被験サンプル、例えば水性被験サンプル中の被検体の存在を検出するのに使用するための方法に関する必要性が存在する。（ａ）溶媒中の別の成分の溶解性に影響する補助溶媒を添加せずに、または添加する必要性が低く、および（ｂ）望ましい溶媒に試薬を溶解するために試薬を厳しい化学的条件に付することなく、有機溶媒、水性溶媒、およびそれらの混合物においてトランソルビリティーが低い試薬を有機溶媒、水性溶媒、およびそれらの混合物を介して診断試験装置に適用するための方法に関する必要性もまた存在する。次の浸漬溶液への試薬の洗脱のごとき副次的な悪影響を伴わないで、複数の浸漬適用方法が関与する試薬のトランソルビリティーを調節する方法に関する必要性も存在する。アッセイ設計者が概して被験サンプル中の試薬の溶解性の程度を調節または選択できる診断試験装置に試薬を適用する方法に関する必要性もある。先に記載した欠点がなく、そして先に記載した利点を伴って調製することができる診断試験ストリップに関する必要性もまた存在する。
【００１３】
発明の概要
一態様に従って、有機酸試薬およびアミンを混合して塩複合体を形成すること、塩複合体を溶媒に溶解して有機酸試薬を溶媒に放出させること、ならびに溶媒を診断試験装置の構成要素に適用して、溶媒に存在する有機酸試薬が、診断試験装置に組み込まれるようにすることにより、有機溶媒、水性溶媒、およびそれらの混合物中のトランソルビリティーが低い有機酸試薬を診断試験装置の構成要素に適用する。アミンは、式：
ＨmＮＲn
で表され、式中、ｍは０、１、または２であり、ｎは１、２、または３であり、ｍおよびｎの合計は３であり、ならびにＲは、塩複合体を水性溶媒、有機溶媒、またはそれらの混合物に可溶性にする独立して選択される基である。
【００１４】
別の態様に従って、有機試薬およびアミンを混合して塩複合体を形成すること、塩複合体を溶媒に溶解して有機試薬を溶媒に放出させること、ならびに溶媒を診断試験装置の構成要素に適用して、溶媒に存在する有機試薬が診断試験装置に組み込まれるようにすることにより、有機溶媒、水性溶媒、およびそれらの混合物中のトランソルビリティーが低い有機試薬を診断試験装置の構成要素に適用する。アミンは、トリメチルアミン、トリエチルアミン、トリブチルアミン、トリオクチルアミン、トリス（ヒドロキシメチル）アミノメタン、アミノエタノール、ブチルアミン、オクチルアミン、トリエタノールアミン、グルカミン、ポリエチレングリコールアミン、アミノ酸、およびそれらの混合物から選択される。
【００１５】
別の態様に従って、アミンおよび有機酸試薬を混合して塩複合体を形成すること、塩複合体を溶媒に溶解して有機酸試薬を溶媒に放出させること、ならびに溶媒を診断試験ストリップの紙に適用して、溶媒に存在する有機酸試薬が、紙に組み込まれるようにすることにより、有機溶媒、水性溶媒、およびそれらの混合物中のトランソルビリティーが低い有機酸試薬を診断試験ストリップの紙に適用する。アミンは、トリメチルアミン、トリエチルアミン、トリブチルアミン、トリオクチルアミン、トリス（ヒドロキシメチル）アミノメタン、アミノエタノール、ブチルアミン、オクチルアミン、トリエタノールアミン、グルカミン、ポリエチレングリコールアミン、アミノ酸、およびそれらの混合物から選択され、そして有機酸試薬は、カルボン酸、スルホン酸、リン酸、およびそれらの混合物から選択される。
【００１６】
更に別の態様に従って、イオン交換方法によりイオン化有機酸試薬および第４級アンモニウムイオンを組み合わせて塩複合体を形成すること、塩複合体を溶媒に溶解して有機酸試薬を溶媒に放出させること、ならびに溶媒を診断試験装置の構成要素に適用して、溶媒に存在する有機酸試薬が、診断試験装置に組み込まれるようにすることにより、有機溶媒、水性溶媒、およびそれらの混合物中のトランソルビリティーが低い有機酸試薬を診断試験装置の構成要素に適用する。アンモニウムイオンは、式：
ＮＲ4＋
で表され、式中、Ｒは、塩複合体を水性溶媒、有機溶媒、またはそれらの混合物に可溶性にする独立して選択される基である。
【００１７】
更に別の態様に従って、有機酸試薬およびアミンを混合して塩複合体を形成すること、塩複合体を溶媒に溶解して有機酸試薬を溶媒に放出させること、ならびに溶媒を診断試験装置の構成要素に適用して、溶媒に存在する有機酸試薬が、診断試験装置に組み込まれるようにすることにより、有機溶媒、水性溶媒、およびそれらの混合物中でトランソルビリティーが低い有機酸試薬を含有する診断試験装置を調製する。アミンは、式：
ＨmＮＲn
で表され、式中、ｍは０、１、または２であり、ｎは１、２、または３であり、ｍおよびｎの合計は３であり、そしてＲは、塩複合体を水性溶媒、有機溶媒、またはそれらの混合物に可溶性にする独立して選択される基である。
【００１８】
更に別の態様に従って、イオン交換方法によりイオン化有機酸試薬および第４級アンモニウムイオンを組み合わせて塩複合体を形成すること、塩複合体を溶媒に溶解して有機酸試薬を溶媒に放出させること、ならびに溶媒を診断試験装置の構成要素に適用して、溶媒に存在する有機酸試薬が、診断試験装置に組み込まれるようにすることにより、有機溶媒、水性溶媒、およびそれらの混合物中でトランソルビリティーが低い有機酸試薬を含有する診断試験装置を調製する。アンモニウムイオンは、式：
ＮＲ4＋
で表され、式中、Ｒは、塩複合体を水性溶媒、有機溶媒、またはそれらの混合物に可溶性にする独立して選択される基である。
【００１９】
本発明の上記概要は、本発明の各々の態様、または全ての具体例を表すことを意図してはいない。これは以下の詳細な説明の目的である。
【００２０】
発明の態様の説明
本発明の態様は、一つには、有機溶媒、水性溶媒、およびそれらの混合物中でトランソルビリティーが低い試薬を有機溶媒、水性溶媒、およびそれらの混合物を介して診断試験装置、例えば診断試験ストリップの吸収成分に適用でき、そして続いて有機被験サンプル、水性被験サンプル、およびそれらの混合物中の被検体の存在を検出するために使用することができるという発見に基づいている。（ａ）溶媒中の別の成分の溶解性に影響する補助溶媒を添加せずに、または添加する必要性が低く、および（ｂ）望ましい溶媒に試薬を溶解するために試薬を厳しい化学的条件に付することなく、本明細書に記載する方法を用いて、トランソルビリティーが低い（複数の）試薬を、有機溶媒、水性溶媒、およびそれらの混合物を介して診断試験装置に適用することができる。概して本明細書に記載する方法を用いて最終被験サンプル中の試薬のトランソルビリティーを調節することができる。加えて、概して複数の浸漬適用方法を用いる場合、本明細書に記載する方法を用いて、次の浸漬溶液への試薬の洗脱のごとき副次的な悪影響を伴わないで、試薬のトランソルビリティーを調節することができる。
【００２１】
特定の特性を有するアミンを、有機溶媒、水性溶媒、およびそれらの混合物中でトランソルビリティーがないかまたはトランソルビリティーが非常に低い有機酸試薬と混合することにより、有機溶媒、水性溶媒、およびそれらの混合物に溶解できる塩複合体が形成されることが見出されている。次いで有機溶媒、水性溶媒、およびそれらの混合物を介して、塩複合体を診断試験装置の１つ以上の構成要素、例えば吸収材料に吸収させることができる。診断試験装置の構成要素に有機試薬を吸収させるために塩複合体を形成することにより、一様に均質に、そして調節された様式で有機試薬を構成要素に適用することができる。
【００２２】
本明細書で用いる「トランソルビリティー」なる用語は、試薬が以下の溶媒の３つの型：水性溶媒、非水性溶媒、例えば有機溶媒、および水性溶媒と非水性溶媒の混合物の１つしか、またはどれにも溶解しないことと対照的に、これらの３つの型の溶媒の１つ以上に溶解することを示す。目的の試薬に関して適切な対イオンを選択することによりトランソルビリティーを達成することができる。
【００２３】
本発明の態様で使用するための適切な診断試験装置には、非限定例としては乾燥装置、例えば試験ストリップ、ワンド、スティック、チューブ、チップ、チャネル、ウェル、キャビティー、グリッド、ウエハー、ディスク、プレート、およびカートリッジが含まれ、ここで装置を構成する吸収材料上かまたは乾燥装置内もしくはそれに付着した吸収材料上に、試薬を乾燥フィルム、層、スポットまたはスポットのアレイとして適用する。適切な吸収材料の実例としては、非限定例としては紙、繊維、布、不織繊維マット、フェルト、多孔性膜、多孔性セラミック、多孔性親水性プラスチック、多孔性スポンジ、吸湿性ゲル、吸湿性ポリマー、および多孔性または吸湿性天然材料が含まれる。適切な紙の二つの例はAhlstrom Technicak Specialties(Mt.Holly Springs、ペンシルバニア州）から入手可能なAhlstrom 204およびWhatman Inc.(Ann Arbor、ミシガン州）から入手可能なWhatman 3MMであり、双方共にセルロースから作られている。本明細書に記載する方法により、試薬溶液を安定な液体として手動または自動診断アッセイ系において、例えば診断試験キットの一部として試薬容器において用いることが可能になる。
【００２４】
本発明の態様において使用するための診断試験装置に関するその他の適切な様式には、非限定例としては、ワイヤー、繊維、ワンド、スティック、チューブ、チップ、チャネル、ウェル、キャビティー、グリッド、ウエハー、ディスク、プレート、チャンバー、カプセル、およびガラスのカートリッジ、非多孔性セラミック、プラスチック、シリコーン、シリコン、その他の半導体、金属ならびに、試薬を保持するために吸収材料ではなく、形状または構造を使用できるコートされた紙が含まれる。診断試験装置が、臨床診断を実施するための微小規模の流体装置および微小規模のアッセイプラットフォーム、例えば非限定例としてはディスク、チップ、「ディスク上のラボ」、「チップ上のラボ」、「ＣＤ上のラボ」、マイクロチャネル、マイクロラボラトリー・アレイ、およびマイクロラボラトリー・ディスクでよいということも企図されている。このような様式は、先に記載した乾燥装置様式を補足することができ、そして／または乾燥装置様式の代わりに用いることができる。例えば、有機試薬を吸収材料、例えば紙に吸収させるために本明細書に記載する方法を用い、そしてこれらの紙で試験ストリップを構築するのではなく、代わりにこれらの紙を小型のパッチに形成し、これをチップ装置に取り付けることが企図される。本明細書に記載するように吸収材料に適用することができる有機試薬溶液を、代わりに診断試験ユニットの規定の部分に乾燥させるか、または注入することができることも企図される。
【００２５】
診断試験ストリップを用いる場合、試験ストリップを種々の材料から作製することができ、そして典型的には１つ以上の紙のパッドから作製し、この紙パッドを切断し、そしてポリマーまたはプラスチック担体に付着させて診断用ストリップを形成する。液体の吸収が可能である天然および合成材料、例えばポリエステル、ニトロセルロース、セラミックおよびフラスファイバーなどの、その他の織布、不織布、パターン化された、または成型された材料から試験ストリップ用のパッドを作製することができる。
【００２６】
本明細書に記載する方法には（ａ）親油特性、親水特性または親油性および親水性の双方の特性を有するアミンを、有機溶媒、水性溶媒、およびそれらの混合物中でトランソルビリティーが全くないかまたはトランソルビリティーが非常に低い有機試薬と混合して塩複合体を形成すること、（ｂ）有機溶媒、水性溶媒、または１つ以上の有機溶媒および１つ以上の水性溶媒の混合物中で塩複合体を溶解して試薬を溶媒に放出させること、ならびに（ｃ）試薬を含有する溶媒を診断試験装置の構成要素に適用して、溶媒に存在する試薬を診断試験装置に組み込むようにすること、が包含される。例えば吸収成分または材料、例えば紙を、溶媒に浸漬することにより試薬を含有する溶媒を診断試験装置に適用することができ、溶媒に溶解している試薬が吸収材料に適用されるようになる。
【００２７】
吸収成分または材料、例えば試験紙を乾燥し、そして乾燥試薬を含有する吸収材料を診断試験装置、例えば診断試験ストリップに組み立てることができる。次いで診断試験装置を有機溶媒、水性溶媒、およびそれらの混合物中の被検体の存在を検出するのに用いることができる。本明細書に記載する方法に従って、診断試験装置を被験サンプル中に浸漬する場合、試薬を被験サンプル中に溶解させ、そして被験サンプル中の被検体と反応できるようになる。塩複合体を形成することにより吸収成分または材料に適用できる試薬の量が増えるので、被験サンプル中に溶解させ、そして本明細書に記載する方法を用いて被検体の存在を検出することができる試薬の量が増す。故に、本明細書に記載する方法および、本明細書に記載する方法により調製された診断試験装置を用いて、装置により、または肉眼で検出可能な使用者に対するシグナル（すなわち色の変化）が概して増強される。
【００２８】
診断試験装置に適用される有機試薬は概して有機酸である。有機試薬を、塩複合体を作製するためのアニオンの供給源として提供する。有機試薬の溶解性を促進するのに用いられるアミンを、有機試薬のアニオンにより提供される負の電荷に対抗する正の対イオンの供給源として提供する。正味電荷を有していない塩複合体を形成できるように、アニオンおよびカチオンの電荷を対抗させることができる。
【００２９】
本明細書に記載する方法および製品は多くの利点を提供する。本明細書に記載する方法および製品を用いることにより、有機試薬が通常有機溶媒のみ、または水性溶媒のみにしか溶解しない場合に、その試薬を、有機溶媒、水性溶媒、およびそれらの混合物を介して診断試験装置に適用することができる。この方法により、有機溶媒、水性溶媒、およびそれらの混合物中でトランソルビリティーがないか、またはトランソルビリティーが非常に低い有機試薬を、有機溶媒、水性溶媒、およびそれらの混合物を用いて診断試験装置に吸収させる能力が改善される。本明細書に記載する方法および製品を用いることにより、通常有機被験サンプルのみにしか、または水性被験サンプルにしか溶解しない有機試薬を用いて有機被験サンプル、水性被験サンプル、およびそれらの混合物中の被検体の存在を検出することができる。
【００３０】
本明細書に記載する方法および製品の更なる利点は、方法および製品により使用者が概して特定の溶媒中で得られた塩複合体の溶解性の程度および、吸収成分または材料、例えば試験ストリップ紙に適用して被験サンプルと反応させる有機試薬の利用率を調節できる点である。試薬の吸収材料への取り込みの量および時期、ならびに被験サンプル中の被検体と反応するための試薬の放出または利用率を調節することができる。有機試薬およびアミンの特定の混合物を選択することにより、所望の場合、特定の溶媒により多くまたは少なく溶解するように塩複合体を設計することができる。例えば塩形成にトリ−ｎ−オクチルアミンを選択することにより、トリエチルアミンと比較して、使用者はアリールスルホン酸塩試薬を有機溶媒中で更に可溶性にすることができる。より大きなまたは小さな水または非水親和性を有する目的の試薬に対する対イオンを選択することにより、概して有機溶媒、水性溶媒、および／またはそれらの混合物中の塩複合体の溶解性の程度を調節することができる。より大きな水親和性を有するこれらの塩は、より高い親水特性を有している。非水性溶媒に対するより大きな親和性を有するこれらの塩は、より高い親油特性を有している。
【００３１】
本明細書に記載する方法および製品の更なる利点は、方法および製品により使用者が概して被験サンプル中の被検体とのその相互作用において望ましい試薬の選択性を変化させることができるという点である。例えば、最終的なタンパク質指示反応が有機試薬と１つ以上のタンパク質との相互作用に依存する場合、これらの相互作用の部位は、親油性または親水性対イオンから形成される塩複合体に対する親和性の程度が異なっている親油性および親水性の特徴を有している。
【００３２】
本発明の態様において使用するための適切な有機試薬は、形成される塩複合体が有機溶媒、水性溶媒、およびそれらの混合物中で可溶性であるように、酸性試薬とアミンのアニオンとの適合する相互作用を可能にする構造特性を有している。使用者が有機溶媒中の有機試薬の溶解性を高めることを望む場合、使用者は親油特性を有する高級脂肪族性または芳香族性の置換基、例えばアルキル、ハロゲン化アルキル、アリール、またはフェニル基を有する試薬の選択を欲すればよい。使用者が水性溶媒中の有機試薬の溶解性を高めることを望む場合、使用者は親水特性を有する官能基、例えば−（ＣＨ2）n−ＯＨ、−（ＣＨ2）n−Ｃ（Ｏ）ＮＨ2、−（ＣＨ2）n−ＳＨ、または−ＣＨ2ＣＨ2−（Ｏ−ＣＨ2ＣＨ2）nＯＨ基（ここでｎはゼロまたは正の整数である）を有する試薬の選択を欲すればよい。本明細書で用いる「親油性」および「疎水性」なる用語は同義語であり、そして「疎油性」および「親水性」なる用語は同義語である。
【００３３】
塩複合体を形成するために用いられる有機試薬は典型的には有機酸である。適切な有機酸には、非限定例としては各々−ＣＯＯＨ、−ＳＯ3Ｈ、および−ＯＰＯ3Ｈ官能基を有するカルボン酸、スルホン酸、およびリン酸が含まれるが、親油性基を含有するアミンと組み合わせたときに、塩複合体を形成するために十分な酸度のイオン化できる基を提供できるいずれかの有機分子を用いることができることが企図される。適切な有機試薬の実例には、ピロガロールレッドおよび置換されたフェノールスルホンフタレインのごとき色素が、含まれる。
【００３４】
その他の適切な色素には、非限定例としては、アシッドアリザリンバイオレットＮ、アシッドブラック、アシッドブルー、アシッドオレンジ、アシッドグリーン、アシッドレッド、アシッドバイオレット、アシッドイエロー、アリザリンレッドＳ、アリザリンバイオレット３Ｒ、アリザリンイエローＧＧ、アルファズリンＡ、アマランス、８−アニリノ−１−スルホン酸（ＡＮＳ）、アルセナゾ色素、アウリントリカルボン酸、アゾカルミンＢ、ベンゾプルプリン、ビーブリッヒ（biebrich）スカーレット、ボルドーＲ、ブリリアントブラックＢＮ、ブリリアントブルーＧ、ブリリアントブルーＲ、ブリリアントスルファフラビン、ブリリアントイエロー、ブロモクロロフェノールブルー、ブロモクレゾールグリーン、ブロモクレゾールパープル、ブロモフェノールブルー、ブロモピロガロールレッド、ブロモチモールブルー、ブロモキシレノールブルー、シカゴスカイブルー６Ｂ、クロロフォノールレッド、クロモトロープ色素、クロモキサンシアニン（chromoxane cyanine）Ｒ、キソフェニン（chysophenine）、チバクロン（cibacron）・ブリリアントレッド３Ｂ−Ａ、チバクロン・ブリリアントイエロー３Ｇ−Ｐ、チバクロン・ブルー３Ｇ−Ａ、コンゴーレッド、クレゾールフタレイン、クレゾールパープル、クレゾールレッド、ダイレクトレッド７５、ダイレクトレッド８１、ジニトロヘキサブロモスルホンフタレイン、エオシンＢ、エオシンＹ、エリオクロムブラックＴ、エリオクロムブルーブラック２Ｂ、エリオクロムレッドＢ、エリオグラウシン、エリスロシンＢ、エチルオレンジ、エバンスブルー、ファストグリーンＦＣＦ、ファストイエロー、フラバジンＬ、フルオレセイン、水溶性フルオレセイン、２−（４−ヒドロキシフェニルアゾ）安息香酸（ＨＡＢＡ）、８−ヒドロキシキノリン−５−スルホン酸、インジゴカルミン、インジゴトリスルホン酸、インドシアニングリーン、ルシファーイエロー、メルブロミン、メタニルイエロー、メチルオレンジ、メチルレッド、メチルチモールブルー、モルダントオレンジ、モルダントレッド、モルダントイエロー、ナフトクロムグリーン、ナフトールＡＳ  ＢＩホスフェート、ナフトールブルーブラック、ナフトールイエローＳ、ニューコクシン、ニッケルフタロシアニンテトラスルホン酸、ニトラジンイエロー、ニトロレッド、ニトロソナフトールジスルホン酸、ヌクレアファストレッド、オレンジＧ、オレンジＩＩ、パラチンクロムブラック６ＢＮ、パテントブルーＶＦ、フェノールフタレイン、フェノールレッド、フロキシンＢ、プラスモコリントＢ、ポンソーＳ、ポンソーＳＳ、プリムリン、ピロカテコールバイオレット、ロゾール酸、ローズベンガル、タルトラジン、テトラブロモフェノールブルー、テトラブロモフェノールフタレイン、テトラブロモフェノールスルホンフタレイン、チモールブルー、チモールフタレイン、チモールフタレイン一リン酸、タイロン、トロペオリンＯ、トリパンブルー、ビオラミンＲ、キシレノールブルー、キシリジルブルー、およびジンコンが含まれる。１つ以上の適合する有機試薬の混合物を本明細書で記載する方法および製品において用いることができる。有機試薬が色素である場合、それは通常塩複合体を形成するためのアニオンの供給源として提供される。
【００３５】
本発明の態様で用いるのに適したいくつかの色素のアニオン性構造を以下の構造Ａ−Ｅとして示す。本発明で有用なブロモクレゾールグリーンの第１イオン化形態を構造Ａで表す。
【００３６】
【化１】
2005519285.tif 000002
【００３７】
本発明で有用なエオシンＹの第１イオン化形態を構造Ｂで表す。
【００３８】
【化２】
2005519285.tif 000003
【００３９】
本発明で有用なエリスロシンＢの第１イオン化形態を構造Ｃで表す。
【００４０】
【化３】
2005519285.tif 000004
【００４１】
本発明で有用なピロガロールレッドの第１イオン化形態を構造Ｄで表す。
【００４２】
【化４】
2005519285.tif 000005
【００４３】
本発明で有用なロゾール酸の第１イオン化形態を構造Ｅで表す。
【００４４】
【化５】
2005519285.tif 000006
【００４５】
塩複合体を形成するために用いられるアミンは、得られた塩複合体が有機溶媒、水性溶媒、およびそれらの混合物中で可溶性であるように、カチオンの適合する相互作用を可能にする構造特性を有している。いくらかの親水特性を有している塩複合体にいくらかの親油性を与えるようにアミンを選択する。使用者が水性溶媒中の有機試薬の溶解性を高めることを望む場合、使用者はイオン化、極性化または水素結合性を高める構造特性、例えば−ＯＨ、−ＳＨ、−Ｃ（Ｏ）ＮＨ2、ヒドロキシアルキル、ヒドロキシアルコキシアルキル、および／または−（ＣＨ2ＣＨ2Ｏ）n官能性を含有するＲ基を有するアミンを選択することを欲すればよい。使用者が有機溶媒中の有機試薬の溶解性を高めることを望む場合、使用者は通常的に知られている親油特性、例えばアルキル、アルケニル、アルキニル、ハロアルキル、芳香族、またはハロ芳香族官能基を有しているアミンを選択することを欲すればよい。また対イオン構造の選択により使用者はＲ基と溶媒との相互作用による沈殿または結晶化を阻止することもできる。
【００４６】
アミンは、有機試薬供給源により提供されるアニオンと対形成するときに塩複合体を形成するためのカチオン供給源である。本発明の態様において使用するのに適したアミンは概して以下の式を有している。
ＨmＮＲn
アミンは、正味電荷を有していない形態でよく、式中、ｍは０、１、または２であり、ｎは１、２、または３であり、そしてｍおよびｎの合計は３である。アミンはまたアンモニウム形態でよく、この場合ｍの値は１だけ大きくなる。更にアミンは荷電した第４級形態でもよく、この場合ｎは４であり、そしてｍはゼロに等しい。Ｒは独立して選択される基であり、ｎが１よりも大きい場合、Ｒは同一でも異なっていてもよいことを意味している。本発明の方法および製品に従って、塩複合体を形成するのに用いられるアミンは親油特性、親水特性、または親油性および親水性の双方の特性を有していてよい。
【００４７】
塩複合体を形成するためのカチオンの供給源として荷電した第４級アミンを用いる場合、イオン化有機試薬、例えば有機酸試薬および第４級アンモニウムイオンを組み合わせて塩複合体を形成することができ、ここでアンモニウムイオンは、式：
ＮＲ4＋
で表される。Ｒは独立して選択される基であり、Ｒは同一でも異なっていてもよいことを意味している。本発明の方法および製品に従って、塩複合体を形成するのに用いられる荷電した第４級アミンは、親油特性、親水特性、または親油性および親水性の双方の特性を有していてよい。
【００４８】
技術分野で公知の種々の方法により、例えばイオン交換法により、イオン化有機試薬および第４級アンモニウムイオンを組み合わせることができる。例えばイオン交換媒体、例えばイオン化可能な基を有する樹脂または炭水化物を用いてバッチ様式またはカラム様式を用いてイオン交換を実施することができる。有機酸に関する典型的なイオン交換法を、有機酸をカラムに結合させるために適切な形態、例えば水酸化物で調製したアニオンイオン交換媒体のカラムに、有機酸をイオン化pHで、または塩、例えばナトリウムとして負荷することで開始することができる。次いで第４級アンモニウム塩、例えば塩化テトラエチルアンモニウムの溶液をカラムに適用することができる。塩化物イオンが有機酸アニオンと置き換わり、そしてカラム媒体から有機酸アニオンを放出するので、残りの第４級アンモニウムイオンはイオン化有機酸と対形成し、有機酸の第４級アンモニウム塩の溶液をカラムから溶出することが可能になる。
【００４９】
塩複合体の望ましい溶解性の程度は、特定の製造方法および最終製品の究極的な機能に必要な溶媒の種類に基づいて変動し得る。例えば、特定のタンパク質色素は、製造浸漬方法の１つの工程のために水性溶媒（すなわち含水量の大きい溶媒）に溶解するが、色素が、有機溶媒に洗い流されるのを阻止するために、次の工程での有機溶媒には不溶性である必要があるかもしれない。医学的診断のためには、色素塩は概して、生物学的サンプル、例えば尿との化学反応に利用できるためにいくらか水溶性を有している必要がある。更に色素塩は、タンパク質の親油性または親水性部分への誘引により、タンパク質への結合時に保存または増強できる色調変化のごとき機能を有することができる。塩複合体を形成するために用いられるアミンはこれらの溶解および適合性特性を色素に与えることができる。
【００５０】
アミンでの使用に適したＲ基の選択は、概して有機溶媒、水性溶媒、またはそれらの混合物の各々におけるアミンの望ましい溶解性の程度に依存する。ｎ＝０およびｍ＝３で始まって、アミンは概して親水特性を有している。アミンの親水特性を維持するか、またはアミンに親油特性を加えるためにＲ基およびＲ基の数を選択することができる。
【００５１】
得られた塩複合体が望ましい有機溶媒、水性溶媒、またはそれらの混合物に溶解するようにアミンに十分な親油性または親水性を提供し、そして塩複合体の有機溶媒、水性溶媒、またはそれらの混合物との適合する相互作用を可能にするためにＲを選択する。水性溶媒、有機溶媒、およびそれらの混合物中に塩複合体を溶解させするためにＲを選択する。Ｒにより提供される望ましい溶解特性を、ＲＨまたはＲＯＨのごとき物質に関するオクタノール／水の分配比のごときデータから推定することができる。ある態様では、Ｒは親油性および親水性の双方の特性を有する置換基でよい。別の態様では、少なくとも１つのＲ基は、塩複合体を有機溶媒に可溶性にするのに十分な親油性を提供し、そして塩複合体を水性溶媒、または水性溶媒および有機溶媒の混合物に可溶性にするのに十分な親水性を提供する。Ｒを、非限定例として、アルキル、アルケニル、アルキニル、ハロアルキル、芳香族、ハロ芳香族、アルキルアミノアセチル、ヒドロキシアルキル、およびヒドロキシアルコキシアルキル置換基から選択することができる。
【００５２】
アミンで使用するためのｍおよびｎの値の選択は、概して選択されたＲ基の親水性の程度、およびアミンの別の試薬に対する反応性に依存する。例えば、ｎ＝０、１、または２である場合、アミンはいくつかの求核反応に参加できる。使用者が、有機溶媒中で診断試験装置に適用される有機試薬の溶解性を高めることを望む場合、使用者はｎに関してより高い値、例えばトリオクチルアミンのｎ＝３、を有する疎水性の置換基を有するアミンを選択することを欲すればよい。塩複合体の疎水特性はＲ基の疎水特性が高くなるほど、概して高くなる。例えばＲをエチルからブチルに変えると、塩複合体の疎水特性は概して高くなるが、Ｒをオクチルからブチルに変えると、塩複合体の疎水特性は概して低くなる。
【００５３】
本発明の態様で使用するのに適したアミンの実例には、非限定例として、トリメチルアミン、トリエチルアミン、トリブチルアミン、トリオクチルアミン、トリス（ヒドロキシメチル）アミノメタン（ＴＲＩＳ）、アミノエタノール、ブチルアミン、オクチルアミン、トリエタノールアミン、グルカミン、ポリエチレングリコールアミン、アミノ酸、およびそれらの混合物が含まれる。いくつかの態様では、トリス（ヒドロキシメチル）アミノメタン（ＴＲＩＳ）を使用する。その使用が絶対不可欠ではないが、ＴＲＩＳのヒドロキシ基が水性溶媒と適合し、そして−ＣＨ2ＯＨ基もまた有機溶媒、例えばメタノールに適合するアルキル特性を有していると考えられる。
【００５４】
本発明の態様において荷電した第４級アミンを用いる場合、適切な第４級アンモニウム塩には、非限定例としては、水酸化テトラブチルアンモニウム、水酸化テトラメチルアンモニウム、水酸化テトラエチルアンモニウム、水酸化テトラプロピルアンモニウム、臭化ミリスチルトリメチルアンモニウム、臭化セチルトリメチルアンモニウム、臭化フェニルトリメチルアンモニウム、臭化テトラペンチルアンモニウム、臭化テトラヘキシルアンモニウム、臭化テトラヘプチルアンモニウム、臭化テトラオクチルアンモニウム、および臭化テトラオクタデシルアンモニウムが含まれる。
【００５５】
本発明の態様において使用するのに適した第４級アンモニウムイオンの実例には、非限定例として、テトラブチルアンモニウム、テトラメチルアンモニウム、テトラエチルアンモニウム、テトラプロピルアンモニウム、ミリスチルトリメチルアンモニウム、セチルトリメチルアンモニウム、フェニルトリメチルアンモニウム、テトラペンチルアンモニウム、テトラヘキシルアンモニウム、テトラヘプチルアンモニウム、テトラオクチルアンモニウム、およびテトラオクタデシルアンモニウムが含まれる。
【００５６】
本発明の態様で用いるのに適したいくつかのアミンのイオン構造を、以下の構造Ｆ−Ｊとして示す。本発明で有用なトリオクチルアンモニウムイオンを構造Ｆで表す。
【００５７】
【化６】
2005519285.tif 000007
【００５８】
本発明で有用なトリエチルアンモニウムイオンを構造Ｇで表す。
【００５９】
【化７】
2005519285.tif 000008
【００６０】
本発明で有用なトリエタノールアンモニウムイオンを構造Ｈで表す。
【００６１】
【化８】
2005519285.tif 000009
【００６２】
本発明で有用なＴＲＩＳのアンモニウム形態を構造Ｉで表す。
【００６３】
【化９】
2005519285.tif 000010
【００６４】
本発明で有用なグルクアンモニウム（glucammonium）イオンを構造Ｊで表す。
【００６５】
【化１０】
2005519285.tif 000011
【００６６】
先に記載した工程により一度塩複合体を形成すると、塩複合体を有機溶媒、水性溶媒、または１つ以上の有機溶媒および１つ以上の水性溶媒の混合物に溶解する。１つ以上の有機溶媒および１つ以上の水性溶媒の混合物の実例は、アルコールおよび水の混合物である。塩複合体を有機溶媒、水性溶媒、または１つ以上の有機溶媒および１つ以上の水性溶媒の混合物に溶解することにより、試薬を溶媒に放出させることができる。有機試薬およびアミンを混合することにより形成した塩複合体は概して、塩を形成していない有機試薬単独よりも広範な溶媒に溶解する。
【００６７】
塩複合体が溶解できる適切な有機溶媒の実例には、非限定例として、アルコール、テトラヒドロフラン（ＴＨＦ）、ならびにトルエンおよびＴＨＦの混合物が含まれる。塩複合体が溶解できる適切な水性溶媒の実例には、非限定例として、水ならびにアルコールおよび水の混合物が含まれる。複数回の浸漬適用方法、例えば２回浸漬適用に適した溶媒の実例には、非限定例として、アルコール−水混合物およびＴＨＦ−トルエン混合物が含まれる。
【００６８】
望ましい溶媒に塩複合体を溶解するときに、試薬が溶媒に放出される。次いで使用者が吸収材料、例えば紙を望ましい溶媒に浸漬する場合、溶媒に存在する試薬が吸収材料に吸収されるようになる。使用者は概して、得られた塩複合体が有機溶媒、水性溶媒、およびそれらの混合物中で望ましい程度の溶解性を有するように特定のアミンおよび特定の有機試薬を選択することにより、溶媒または被験サンプル中の試薬の溶解性の程度を調節することができる。本明細書に記載する方法および本明細書に記載する方法により調製された診断試験装置により、使用者が概して複数回の浸漬適用方法の種々の浸漬溶液において試薬の溶解性の程度を調節することが可能になる。
【００６９】
先に記載した方法により一度試薬が吸収成分に吸収されると、吸収成分を乾燥し、そして診断試験装置、例えば有機被験サンプル、水性被験サンプル、ならびに１つ以上の有機溶媒および１つ以上の水性溶媒の混合物における被検体の存在を検出するのに使用するための診断試験ストリップに組み立てる。適切な被験サンプルの実例には、体液および希釈されたその水性混合物が含まれる。
【００７０】
本発明の態様を例示するために以下の実施例を提示する。これらの実施例は、別に本明細書で記載および主張するように本発明を限定するように解釈されるべきではない。
【実施例１】
【００７１】
３つのサブミックス（サブミックス１〜３）を添加することにより第１水溶液を形成した。サブミックス１を形成するために、メタノール１０ml、メタノール中１２５mM  トリス（ヒドロキシメチル）アミノメタン（ＴＲＩＳ）１．７６ml、およびピロガロールレッド４４．０mgを一緒に加えた。これらの成分を約２０から約３０分間混合してサブミックス１を形成した。サブミックス２を形成するために、４０％  フィチン酸４．１０ｇ（３．２０ml）、５％  ３１−５０ＫのＰＶＡ（ポリビニルアルコール）水溶液８．００ml、１Ｎ  ＮａＯＨ  １１．２ml、１００mg/mlモリブデン酸ナトリウム水溶液０．６５４ml、および水４５．６mlを一緒に加えた。ＮａＯＨを加えてpHおよそ２．３に調整した。これらの成分を約６０分間混合してサブミックス２を形成した。サブミックス３を形成するために、シュウ酸２ナトリウム２１７．５mg、pH２．５の５００mM  Ｌ−シトルリン１２０．０ml、およびチバクロン・ブリリアントイエロー１００．０mgを一緒に加えた。これらの成分を約３０分間混合してサブミックス３を形成した。
【００７２】
サブミックス１およびサブミックス２を約１０分間一緒に混合した。次に、サブミックス３をサブミックス１およびサブミックス２の組み合わせに加え、そして均一になるまで混合した。サブミックス１、２および３の混合物をpH２．６に調整した。サブミックス１〜３を用いて第１浸漬溶液を形成し、水で容量２００mlに調整した。
【００７３】
試薬紙を第１浸漬溶液２００mlに浸漬し、そして３段階トンネル式オーブン中５０／５０／７０℃で、１インチの空気流で乾燥した。使用した試薬紙は４インチAhlstrom204紙から作製した。
【００７４】
以下の手順で第２浸漬溶液を作製した。例えば米国特許第５，４２４，２１５号に開示されるＫＯＫ（ポリプロピレングリコールカーボネートポリマー）０．４８ｇを直接ビーカー中で重量測定した。次いでＤＮＨＢ（５’５”ジニトロ−３’，３”，３，４，５，６−ヘキサブロモフェノールスルホンフタレイン）３６．５７mgを、ＫＯＫを含有する容器に加えた。ドラフト中、安定化したＴＨＦ１６mlをＫＯＫおよびＤＮＨＢの混合物に加えた。トルエン１４４mlをＫＯＫ、ＤＮＨＢおよびＴＨＦの混合物に加え、そして均質になるまで混合して第２浸漬溶液を形成した。第２浸漬溶液は２４時間安定であった。
【００７５】
次いで試薬紙を第２浸漬溶液１６０mlに浸漬した。診断試薬紙を３段階トンネル式オーブン中５０／５０／７０℃で、１インチの空気流で乾燥した。その紙を切断して診断試験ストリップの活性パッドを形成した。診断用ストリップはポリマーストリップに付着した活性パッドを含んだ。
【実施例２】
【００７６】
９６％  メタノール、２％  エタノールおよび２％  水中に、表１〜５に列挙した５つの色素（すなわちブロモクレゾールグリーン、エオシンＹ、ロゾール酸、８−アニリノ−１−スルホン酸、エリスロシンＢ）の５mM  溶液を調製した。次いで５つの色素溶液を表１〜５に列挙した各塩基（すなわち水酸化ナトリウム、ＴＲＩＳ、およびトリエチルアミン）の１当量により処理し、塩溶液（すなわち、各々ナトリウム塩溶液、ＴＲＩＳ塩溶液、およびトリエチルアミン塩溶液）を形成した。
【００７７】
次いで各塩溶液の５０μl部分を水９５０μlおよびブタノール１０００μlと混合した。次いでAldrich Chemical社から入手可能なMixxor抽出機で抽出を実施した。長々と接触相を処理する必要がある場合、サンプルを遠心した。
【００７８】
次いで各々の塩溶液に関して試験を実施して各々の色素の塩がブタノール（より親油性の溶媒）または水（あまり親油性でない溶媒）のいずれに優先的に溶解するかを決定した。Hewlett Packard 8453 ダイオードアレイ分光光度計および１ml  石英キュベットを用いて分光法によりブタノール層対水層に関する色素濃度の比率を決定した。ブタノールブランクまたは水ブランクに対する分光法を、上（ブタノール）層または下（水）層５０μlプラス対応する溶媒９５０μlとして行った。石英キュベット中の溶媒で、全吸光度をブランク化し、そして次にキュベットの配置、塵等を補正するための計算を行う前に、９００nmでの吸光度でベースライン補正した。次いで以下に記した波長で全吸光度を測定した。
【００７９】
水に対するブタノール吸光度レベルを決定する前に、ブタノール中の溶質の吸光度を、最大波長における溶媒依存的シフトならびにブタノールおよび水中の既知の重量の色素塩の参照スペクトルに基づく強度に関して補正した。このような場合、ブタノール吸光度の水吸光度に対する分配比を以下の式を用いて計算した。
分配比＝ブタノール中のサンプル吸光度ｘ強度因子／水中のサンプル吸光度
ここで強度因子は以下の式を用いて計算された。
強度因子＝水中λmaxでの参照サンプル吸光度／ブタノール中λmaxでの参照サンプル吸光度
２つの異なる溶媒中の同一濃度の色素が、２つの異なる吸光度を生み出す場合に関しては、強度因子を調整する。
【００８０】
水吸光度、ブタノール吸光度、強度因子、未加工の吸光度比、および各々の塩溶液の分配比を以下の表１〜５に示す。
【００８１】
【表１】
2005519285.tif 000012
【００８２】
1  波長（λmax）は６１５nmであった。
2  波長（λmax）は６３０nmであった。
【００８３】
【表２】
2005519285.tif 000013
【００８４】
3  波長（λmax）は５１８nmであった。
4  波長（λmax）は５３０nmであった。
【００８５】
【表３】
2005519285.tif 000014
【００８６】
5  波長（λmax）は５４７nmであった。
6  強力な溶媒依存的スペクトル強度および優勢なロゾール酸塩のブタノール分配のために、その吸光度を測定する前にロゾール酸塩の参照サンプルのための水性溶媒をブタノールで飽和させた。ロゾール酸塩の場合の水層の吸光度は非常に弱く、希釈せずに、４倍である溶液を測定した。従って、前記の表３で示す水性吸光度は、４で割られている。
7  波長（λmax）は５６２nmであった。
【００８７】
【表４】
2005519285.tif 000015
【００８８】
8  波長（λmax）は２６５nmであった。
9  波長（λmax）は２６９nmであった。
【００８９】
【表５】
2005519285.tif 000016
【００９０】
10  波長（λmax）は５２８nmであった。
11  波長（λmax）は５３６nmであった。
【００９１】
前記の表１〜５に示すデータはブタノール層対水層の各々の色素塩の分配のより高い比率が、試験した中で最も親油性のアミンであるトリエチルアミンで得られたことを示している。これらの結果は、トリエチルアンモニウムカチオンの存在で塩がより親油性になり、溶媒が、より親油性であるほど、ブタノール層で溶解する塩をより多くすることができることを示している。
【実施例３】
【００９２】
２％  エタノールおよび２％  水を含むメタノール中２mg/ml  ピロガロールレッド溶液を調製した。次いでピロガロールレッド溶液を表６（すなわちトリエタノールアミン、グルカミン、水酸化ナトリウム、トリオクチルアミン、ＴＲＩＳおよびトリエチルアミン）に列挙した各塩基１当量により処理し、各々のピロガロールレッド塩溶液（すなわち各々トリエタノールアミン塩溶液、グルカミン塩溶液、ナトリウム塩溶液、トリオクチルアミン塩溶液、ＴＲＩＳ塩溶液およびトリエチルアミン塩溶液）を形成した。
【００９３】
次いで各ピロガロールレッド塩溶液５０μlのアリコートを水９５０μlおよびブタノール１０００μlと混合した。次いでMixxor抽出機で抽出を行った。
次いで各々の塩溶液に関して試験を行い、ピロガロールレッド色素の塩がブタノール（より親油性の溶媒）または水（あまり親油性でない溶媒）のいずれに優先的に溶解するかを決定した。Hewlett Packard 8453 ダイオードアレイ分光光度計および石英キュベット１mlを用いて分光法によりブタノール層対水層に関する色素濃度の比率を決定した。ブタノールブランクまたは水ブランクに対する分光法を、上（ブタノール）層または下（水）層５０μlプラス対応する溶媒９５０μlとして行った。石英キュベット中の溶媒で、全吸光度をブランク化し、そして次にキュベットの配置、塵等を補正するための計算を行う前に、９００nmでの吸光度でベースライン補正し、そして次に２７６nmで測定した。
【００９４】
【表６】
2005519285.tif 000017
【００９５】
前記の表６に示すデータはブタノール層対水層の各々の色素塩の分配のより高い比率が、試験した中で最も親油性のアミンであるトリオクチルアミンで得られたことを示している。これらの結果は、トリオクチルアンモニウムカチオンの存在で塩がより親油性になり、溶媒が、より親油性であるほど、ブタノール層で溶解する塩をより多くすることができることを示している。
【実施例４】
【００９６】
２％  エタノールおよび２％  水を含むメタノール中２mg/ml  ピロガロールレッド溶液を調製した。次いでピロガロールレッド溶液を以下のアミン：ＴＲＩＳ、トリエタノールアミン、グルカミン、トリエチルアミン、トリオクチルアミン、およびナトリウム１当量により処理し、表７に列挙する各々のピロガロールレッド塩溶液（すなわち各々ＴＲＩＳ塩溶液、トリエタノールアミン塩溶液、グルカミン塩溶液、トリエチルアミン塩溶液、トリオクチルアミン塩溶液、およびナトリウム塩溶液）を形成した。
【００９７】
次いで各ピロガロールレッド塩溶液１００μlのアリコートを、トルエン０〜１００μlおよび残りをメタノールで１０００μlの溶液にした。トルエンは、概して親油性である非極性有機溶媒である。密閉したバイアル中溶液１０００μlを一晩放置して沈殿を形成させた。次いでサンプルを遠心した。
【００９８】
次いで遠心したサンプルの液体部分を分光法により分析した。トルエン中の各塩溶液の濃度の比率の分析をメタノールブランクに対して測定した。この分析を実施してトルエンのパーセンテージを高めた溶液中のピロガロールレッド塩の溶解度の閾値を決定した。遠心したサンプルの液体部分の溶解性をHewlett Packard 8453 ダイオードアレイ分光光度計および１ml  石英キュベットを用いて分光法により決定した。メタノールブランクに対する分光法を、液体５０μlプラスメタノール９５０μlとして行った。遠心上澄の収率（すなわちどのくらいの量のピロガロールレッドが溶液に残ったか）を５１８nmの吸光度で決定し、そして全ての塩の完全な、そして安定した溶解性（収率１００％）を提供する、トルエンを含有しない溶液の吸光度レベルと比較した。
【００９９】
【表７】
2005519285.tif 000018
【０１００】
＊  前記の表７の影を付けた項目は各塩が一晩溶解したままである溶媒中のトルエンの比率を表す。
【０１０１】
前記の表７に示すデータは溶液の吸光度の収率として表される、親油性が高められている溶媒中のピロガロールレッドの安定性を示している。前記の表７に示すデータは、より親油性のカチオン、例えばＴＲＩＳ、トリエチルアミン、およびトリオクチルアミンのカチオンにより多くのピロガロールレッド色素塩が非極性有機成分、例えばトルエンを有する溶液に残ることが可能になることを示している。
【実施例５】
【０１０２】
ピロガロールレッドの塩を用いて異なるタンパク質の相対検出を決定するために、BioTek、Precision 2000 96/384 ウェル・マイクロプレート自動ピペッティングシステムの自動タンパク質アッセイが考案された。希釈器を試薬１８０μl＋サンプル４０μlの反応にプログラムした。試薬は１６０μM  モリブデン酸塩および５４μM  ピロガロールレッド塩を含む２５０mM  シトルリンバッファー（pH２．５）であった。サンプルはリン酸塩緩衝食塩水（ブランク）、２５mg/dl  ヒト血清アルブミン（ＨＳＡ）、およびその他のタンパク質（すなわちヒトＩｇＧ、タム・ホースファル（Tam-Horsfal）、およびラムダ軽鎖）２５mg/dlであった。
【０１０３】
BioTek「KC Jr」ソフトウェアを用いて吸光度比データをBiotek、Powerwave X マイクロプレート吸光度リーダーに収集し、ピロガロールレッドの塩を用いて異なるタンパク質（すなわちＨＳＡ、ヒトＩｇＧ、タム・ホースファル、およびラムダ軽鎖）の相対検出を決定した。異なるタンパク質の２セットの反復実験を行なった。６００nm（青色の吸光周波数）で吸光度を測定し、そして３７℃で１０分後、９００nm（可視範囲を超える吸光周波数）でのベースライン吸光度を引いた。リン酸塩緩衝食塩水サンプルの反応結果をタンパク質の反応結果から引くことによりタンパク質応答を決定した。反応時間１０分で６００nmおよび９００nmでの正味吸光度を以下の表８で示す。
【０１０４】
【表８】
2005519285.tif 000019
【０１０５】
ピロガロールレッドのナトリウム塩に対するトリオクチルアミン塩に関して、タンパク質サンプルから非タンパク質サンプルを引いた正味タンパク質応答を以下の表９に示す。反応時間１０分で６００nmでの吸光度を９００nmでのベースライン吸光度により補正し、そして平均データとして以下の表９に示す。
【０１０６】
【表９】
2005519285.tif 000020
【０１０７】
この実験はピロガロールレッドのナトリウム塩からのタンパク質に対する穏やかな応答を示した。タンパク質サンプルに関する６００nmでの吸光度は０．２０１〜０．２１１の範囲であったが、非タンパク質サンプル（すなわちＰＢＳブランク）に関する６００nmでの吸光度は低く、０．１９６〜０．２００の範囲であった。９００nm吸光度バックグラウンドを引いた後、タンパク質と非タンパク質反応との間の平均の差は６〜１５ミリ吸光度単位の範囲であった。
【０１０８】
しかしながら、高度に親油性のカチオン、トリオクチルアンモニウムは非タンパク質ブランクのピロガロールレッド試薬溶液を即座に強力な青色にし、これはタンパク質反応と色で区別できなかった。非タンパク質ブランクの吸光度レベルはタンパク質反応の吸光度レベルよりもわずかに強力であった。トリオクチルアンモニウム・ピロガロールレッドの青色は、タンパク質を伴う場合（６００nmでの吸光度＝０．４４〜０．４８）もタンパク質を伴わない場合（６００nmでの吸光度＝０．４８〜０．４９）も、シトルリンバッファー中でインキュベートしたときに消えなかった。このデータはアニオン色素および親油性カチオンのイオン対は会合し続けることができ、そして多量のナトリウムカチオンの存在下でも中程度の時間にわたって安定であることを示唆している。
【実施例６】
【０１０９】
ピロガロールレッドの塩を用いて異なるタンパク質の相対検出を決定するために、BioTek、Precision 2000 96/384 ウェル・マイクロプレート自動ピペッティングシステムの自動タンパク質アッセイが考案された。希釈器を試薬１８０μl＋サンプル４０μlの反応にプログラムした。試薬は１６０μM  モリブデン酸塩および７４μM  ピロガロールレッド塩を含む２５０mM  シトルリンバッファー（pH２．５）であった。サンプルはリン酸塩緩衝食塩水（ブランク）、２５mg/dl  ヒト血清アルブミン（ＨＳＡ）、およびその他のタンパク質（すなわちヒトＩｇＧ、タム・ホースファル、およびラムダ軽鎖）２５mg/dlであった。
【０１１０】
BioTek「KC Jr」ソフトウェアを用いて吸光度比データをBiotek Powerwave X マイクロプレート吸光度リーダーに収集し、ピロガロールレッドの塩を用いて異なるタンパク質（すなわちＨＳＡ、ヒトＩｇＧ、タム・ホースファル、およびラムダ軽鎖）の相対検出を決定した。異なるタンパク質の２セットの反復実験を行なった。６００nmで吸光度を測定し、そして３７℃で１０分後、９００nmでのベースライン吸光度を引いた。リン酸塩緩衝食塩水サンプルの反応結果をタンパク質の反応結果から引くことによりタンパク質応答を決定した。リン酸塩緩衝食塩水（ＰＢＳ）サンプルの反応結果を引いた後、反応時間１０分で６００nmでの２セットの反復実験に関する平均の正味吸光度を以下の表１０で示す。
【０１１１】
【表１０】
2005519285.tif 000021
【０１１２】
以下の表１１で示すように、非アルブミンタンパク質のタンパク質等価物に関する結果をＨＳＡに対するタンパク質比色応答のパーセンテージとして表現した。
【０１１３】
【表１１】
2005519285.tif 000022
【０１１４】
前記の表１１で示すように、ナトリウム塩と比較して、多くの複合化カチオンを伴う４つの塩によりＩｇＧおよびタム・ホースファルタンパク質に関してほぼ類似の結果が得られた。より親油性のトリエチルアンモニウム対イオンはラムダ軽鎖タンパク質に対してナトリウム（８％）よりも応答性が低かった（３％）。より親水性のグルクアンモニウムカチオンはラムダ軽鎖タンパク質に対してナトリウム（８％）よりも応答性が高かった（１４％）。ピロガロールレッドのナトリウム塩は結合に関して異なる親和性、および従って異なるタンパク質に対する異なる検出応答を呈することが解っている。実施例６により、イオン化された色素の異なるタンパク質に対する相対的親和性がその対イオンの特性により影響を受けることが実証される。
【０１１５】
本発明を多くの態様と共に記載してきたが、本発明の範囲が特定の態様により限定されることを意図するものではない。記載された態様からの修飾および変法が存在する。例えば本発明は、生物学的液体、例えばヒト尿を含む被験サンプルに関連して記載しているが、適切な被験サンプルはまた農業または環境の液体をも含めてもよい。
【０１１６】
加えて、本発明の方法および製品は有機酸試薬、例えば酸性色素に関連して記載してきたが、技術を有機可溶酵素基質、例えばブロモ、クロロインドリルリン酸塩にも適用できることが企図される。有機溶媒に溶解するが、水性溶媒では溶解性が全くないか、または溶解性が非常に低い酵素基質が水性溶媒中で可溶性になるように、有機可溶酵素基質を前記で論じた親水特性を有するアミンと組み合わせることもできることが企図される。
【０１１７】
また、本発明の方法および製品を有機酸である試薬と関連して記載してきたが、技術を正の電荷を発達させることができる基を有する有機分子、例えば有機アミンにも適用できることが企図される。例えば、有機アミンをＲＳＯ3ＨまたはＲＯＰＯ3ＨまたはＲＣＯ2Ｈ（ここでＲは先に記載したのと類似の様式で望ましい親水または疎水特性に基づいて選択される）と対抗させることができた。
【０１１８】
本発明の特定の態様および適用を説明し、そして記載してきたが、本発明は、本明細書に開示した正確な構築および組成に限定されるものでなく、そして添付の請求の範囲で定義されるような本発明の精神および範囲から逸脱することなく、種々の修飾、変化、および変法が前記の記載から明らかであることを理解すべきである。
【国際調査報告】
2005519285.tif 000023
2005519285.tif 000024
2005519285.tif 000025